(57)【要約】【課題】２Ｄ及び３Ｄ映像を表示することができる有機電界発光表示装置を提供する。【解決手段】本発明の有機電界発光表示装置は、走査線に走査信号を供給するための走査駆動部と、データ線に前記走査信号に同期するようにデータ信号を供給するためのデータ駆動部と、前記走査線と前記データ線との交差部に位置し、前記データ信号に対応して、第１電源から有機発光ダイオードを経由して第２電源に流れる電流量を制御する画素と、外部から入力されるデータを２Ｄまたは３Ｄデータに分類し、１フレームの２Ｄまたは３Ｄデータを用いて２フレーム以上の２Ｄまたは３Ｄデータを生成するデータ処理部と、前記データ処理部から入力された２Ｄまたは３Ｄデータを前記データ駆動部に伝達するタイミング制御部とを備え、前記タイミング制御部の制御により、１フレーム期間中、前記走査線に走査信号が供給される走査期間において、前記画素は非発光状態に設定される。【選択図】図１
2011237756.tif 000002
【特許請求の範囲】
【請求項１】
走査線に走査信号を供給するための走査駆動部と、
データ線に前記走査信号に同期するようにデータ信号を供給するためのデータ駆動部と、
前記走査線と前記データ線との交差部に位置し、前記データ信号に対応して、第１電源から有機発光ダイオードを経由して第２電源に流れる電流量を制御する画素と、
外部から入力されるデータを２Ｄまたは３Ｄデータに分類し、１フレームの２Ｄまたは３Ｄデータを用いて２フレーム以上の２Ｄまたは３Ｄデータを生成するデータ処理部と、
前記データ処理部から入力された２Ｄまたは３Ｄデータを前記データ駆動部に伝達するタイミング制御部とを備え、
前記タイミング制御部の制御により、１フレーム期間中、前記走査線に走査信号が供給される走査期間において、前記画素は非発光状態に設定されることを特徴とする有機電界発光表示装置。
【請求項２】
前記データ処理部は、
前記外部から入力されるデータの識別ビットを用いて前記データを２Ｄまたは３Ｄデータに分類するデータ分配部と、
１フレーム分の前記３Ｄデータを用いて左眼映像に対応するフレームデータ及び右眼映像に対応するフレームデータを生成するための３Ｄデータ処理部と、
１フレーム分の前記２Ｄデータを用いて２つ以上のフレームデータを生成するための２Ｄデータ処理部と、
前記３Ｄデータ処理部及び２Ｄデータ処理部からのデータを前記タイミング制御部に伝達するためのデータ伝達部とをさらに備えることを特徴とする請求項１に記載の有機電界発光表示装置。
【請求項３】
前記データ処理部は、ｉ（ｉは自然数）Ｈｚの駆動周波数で前記外部からデータを受信し、ｊ（ｊはｉより大きい自然数）Ｈｚの駆動周波数で前記３Ｄデータ及び２Ｄデータを前記タイミング制御部に伝達することを特徴とする請求項１に記載の有機電界発光表示装置。
【請求項４】
前記ｉは６０、前記ｊは１２０であることを特徴とする請求項３に記載の有機電界発光表示装置。
【請求項５】
前記タイミング制御部に接続され、前記走査期間に対応する無線信号を送出するための無線送信部と、
前記無線信号に対応して、応答時間を前記走査期間に同期させるシャッタ眼鏡とを備えることを特徴とする請求項１に記載の有機電界発光表示装置。
【請求項６】
前記第１電源を生成するための第１電源駆動部と、
前記第２電源を生成するための第２電源駆動部とをさらに備えることを特徴とする請求項１に記載の有機電界発光表示装置。
【請求項７】
前記第１電源駆動部は、前記タイミング制御部の制御に対応して、１フレーム期間中の前記走査期間に前記第１電源をローレベルに設定し、それ以外の期間に前記第１電源をハイレベルに設定することを特徴とする請求項６に記載の有機電界発光表示装置。
【請求項８】
前記第２電源駆動部は、前記タイミング制御部の制御に対応して、１フレーム期間中の前記走査期間に前記第２電源をハイレベルに設定し、それ以外の期間に前記第２電源をローレベルに設定することを特徴とする請求項６に記載の有機電界発光表示装置。
【請求項９】
前記画素に共通して接続される発光制御線をさらに備え、前記走査駆動部は、前記タイミング制御部の制御に対応して、前記走査期間に前記発光制御線に発光制御信号を供給することを特徴とする請求項１に記載の有機電界発光表示装置。
【請求項１０】
前記画素の各々は、
前記有機発光ダイオードと、
前記有機発光ダイオードに供給される電流量を制御するための駆動トランジスタと、
前記駆動トランジスタと前記第１電源、または前記駆動トランジスタと前記有機発光ダイオードとの間に接続され、前記発光制御信号が供給されたときにターンオフされる制御トランジスタとを備えることを特徴とする請求項９に記載の有機電界発光表示装置。
【請求項１１】
外部からデータが入力される第１ステップと、
前記データの識別ビットを用いて前記データを２Ｄデータまたは３Ｄデータに分類する第２ステップと、
前記第２ステップで３Ｄデータに分類された場合、１フレーム分の３Ｄデータを用いて左眼映像に対応するフレームデータ及び右眼映像に対応するフレームデータを生成する第３ステップと、
前記第２ステップで２Ｄデータに分類された場合、１フレーム分の２Ｄデータを用いて２フレーム分のデータを生成する第４ステップと、
前記第３ステップまたは前記第４ステップで生成された３Ｄデータまたは２Ｄデータを用いてデータ信号を生成する第５ステップとを含み、
１フレーム期間中、前記データ信号が画素に供給される走査期間において、すべての画素は非発光状態に設定され、前記走査期間を除く発光期間において、前記画素は、前記データ信号に対応して発光することを特徴とする有機電界発光表示装置の駆動方法。
【請求項１２】
前記発光期間において、前記画素は、前記データ信号に対応して、第１電源から有機発光ダイオードを経由して第２電源に流れる電流量を制御することを特徴とする請求項１１に記載の有機電界発光表示装置の駆動方法。
【請求項１３】
前記走査期間に前記第１電源の電圧がローレベルに設定され、前記発光期間に前記第１電源の電圧がハイレベルに設定されることを特徴とする請求項１２に記載の有機電界発光表示装置の駆動方法。
【請求項１４】
前記走査期間に前記第２電源の電圧がハイレベルに設定され、前記発光期間に前記第２電源の電圧がローレベルに設定されることを特徴とする請求項１２に記載の有機電界発光表示装置の駆動方法。
【請求項１５】
前記画素は、前記第１電源から前記有機発光ダイオードの間に位置する制御トランジスタを備え、前記制御トランジスタは、前記走査期間にターンオフされ、前記発光期間にターンオンされることを特徴とする請求項１２に記載の有機電界発光表示装置の駆動方法。
【請求項１６】
前記３Ｄデータを用いて映像を表示する場合、ｉ（ｉは自然数）番目のフレームは左眼映像を表示し、ｉ＋１番目のフレームは右眼映像を表示することを特徴とする請求項１２に記載の有機電界発光表示装置の駆動方法。
【請求項１７】
前記ｉ番目のフレームの発光期間とｉ＋１番目のフレームの発光期間との間の走査期間をシャッタ眼鏡の応答時間に同期させるように実現することを特徴とする請求項１６に記載の有機電界発光表示装置の駆動方法。
【発明の詳細な説明】
【技術分野】
【０００１】
本発明は、有機電界発光表示装置及びその駆動方法に関し、特に、２Ｄ及び３Ｄ映像を表示することができる有機電界発光表示装置及びその駆動方法に関する。
【背景技術】
【０００２】
近年、陰極線管（Cathode Ray Tube）の欠点である重量と体積を減らすことが可能な各種平板表示装置が開発されている。平板表示装置には、液晶表示装置（Liquid Crystal Display）、電界放出表示装置（Field Emission Display）、プラズマ表示パネル（Plasma Display Panel）、及び有機電界発光表示装置（Organic Light Emitting Display Device）などがある。
【０００３】
平板表示装置のうち、有機電界発光表示装置は、電子と正孔との再結合により光を発生する有機発光ダイオードを用いて映像を表示するものであって、これは、速い応答速度を有し、かつ、低消費電力で駆動されるという利点がある。
【０００４】
通常、有機電界発光表示装置は、有機発光ダイオードを駆動する方式により、パッシブマトリクス型（ＰＭＯＬＥＤ）と、アクティブマトリクス型（ＡＭＯＬＥＤ）とに分けられる。
【０００５】
アクティブマトリクス型の有機電界発光表示装置は、複数の走査線、複数のデータ線、及び複数の電源線と、前記線に接続され、マトリクス状に配列される複数の画素とを備える。画素は、通常、有機発光ダイオードと、有機発光ダイオードに供給される電流量を制御する駆動トランジスタと、駆動トランジスタにデータ信号を伝達するためのスイッチングトランジスタと、データ信号の電圧を保持するためのストレージキャパシタとで構成される。
【０００６】
このような有機電界発光表示装置は、表示する映像に対応して、２Ｄ用有機電界発光表示装置と、３Ｄ用有機電界発光表示装置とに分けられる。２Ｄ用有機電界発光表示装置は、パネルで２Ｄ映像を表示するものであって、現在、ほとんどの有機電界発光表示装置がこれに該当する。３Ｄ用有機電界発光表示装置は、パネルで３Ｄ映像を表示するものであって、現在、研究が盛んに進められている。
【０００７】
一方、上記のように、各々のパネルで２Ｄまたは３Ｄ映像のみが表示される場合、２Ｄ及び３Ｄ映像を観覧するために２つの表示装置を備えなければならないという問題がある。したがって、２Ｄ及び３Ｄ映像を同時に表示することができる有機電界発光表示装置が要求されている。
【発明の概要】
【発明が解決しようとする課題】
【０００８】
そこで、本発明の目的は、２Ｄ及び３Ｄ映像を表示することができる有機電界発光表示装置及びその駆動方法を提供することである。
【課題を解決するための手段】
【０００９】
本発明の実施例による有機電界発光表示装置は、走査線に走査信号を供給するための走査駆動部と、データ線に前記走査信号に同期するようにデータ信号を供給するためのデータ駆動部と、前記走査線と前記データ線との交差部に位置し、前記データ信号に対応して、第１電源から有機発光ダイオードを経由して第２電源に流れる電流量を制御する画素と、外部から入力されるデータを２Ｄまたは３Ｄデータに分類し、１フレームの２Ｄまたは３Ｄデータを用いて２フレーム以上の２Ｄまたは３Ｄデータを生成するデータ処理部と、前記データ処理部から入力された２Ｄまたは３Ｄデータを前記データ駆動部に伝達するタイミング制御部とを備え、前記タイミング制御部の制御により、１フレーム期間中、前記走査線に走査信号が供給される走査期間において、前記画素は非発光状態に設定される。
【００１０】
好ましくは、前記データ処理部は、前記外部から入力されるデータの識別ビットを用いて前記データを２Ｄまたは３Ｄデータに分類するデータ分配部と、１フレーム分の前記３Ｄデータを用いて左眼映像に対応するフレームデータ及び右眼映像に対応するフレームデータを生成するための３Ｄデータ処理部と、１フレーム分の前記２Ｄデータを用いて２つ以上のフレームデータを生成するための２Ｄデータ処理部と、前記３Ｄデータ処理部及び２Ｄデータ処理部からのデータを前記タイミング制御部に伝達するためのデータ伝達部とを備える。
【００１１】
前記データ処理部は、ｉ（ｉは自然数）Ｈｚの駆動周波数で前記外部からデータを受信し、ｊ（ｊはｉより大きい自然数）Ｈｚの駆動周波数で前記３Ｄデータ及び２Ｄデータを前記タイミング制御部に伝達する。前記ｉは６０、前記ｊは１２０である。前記タイミング制御部に接続され、前記走査期間に対応する無線信号を送出するための無線送信部と、前記無線信号に対応して、応答時間を前記走査期間に同期させるシャッタ（shutter）眼鏡とを備える。
【００１２】
前記第１電源を生成するための第１電源駆動部と、前記第２電源を生成するための第２電源駆動部とをさらに備える。前記第１電源駆動部は、前記タイミング制御部の制御に対応して、１フレーム期間中の前記走査期間に前記第１電源をローレベルに設定し、それ以外の期間に前記第１電源をハイレベルに設定する。前記第２電源駆動部は、前記タイミング制御部の制御に対応して、１フレーム期間中の前記走査期間に前記第２電源をハイレベルに設定し、それ以外の期間に前記第２電源をローレベルに設定する。前記画素に共通して接続される発光制御線をさらに備え、前記走査駆動部は、前記タイミング制御部の制御に対応して、前記走査期間に前記発光制御線に発光制御信号を供給する。
【００１３】
本発明の実施例による有機電界発光表示装置の駆動方法は、外部からデータが入力される第１ステップと、前記データの識別ビットを用いて前記データを２Ｄデータまたは３Ｄデータに分類する第２ステップと、前記第２ステップで３Ｄデータに分類された場合、１フレーム分の３Ｄデータを用いて左眼映像に対応するフレームデータ及び右眼映像に対応するフレームデータを生成する第３ステップと、前記第２ステップで２Ｄデータに分類された場合、１フレーム分の２Ｄデータを用いて２フレーム分のデータを生成する第４ステップと、前記第３ステップまたは前記第４ステップで生成された３Ｄデータまたは２Ｄデータを用いてデータ信号を生成する第５ステップとを含み、１フレーム期間中、前記データ信号が画素に供給される走査期間において、すべての画素は非発光状態に設定され、前記走査期間を除く発光期間において、前記画素は、前記データ信号に対応して発光する。
【００１４】
前記発光期間において、前記画素は、前記データ信号に対応して、第１電源から有機発光ダイオードを経由して第２電源に流れる電流量を制御する。前記走査期間に前記第１電源の電圧がローレベルに設定され、前記発光期間に前記第１電源の電圧がハイレベルに設定される。前記走査期間に前記第２電源の電圧がハイレベルに設定され、前記発光期間に前記第２電源の電圧がローレベルに設定される。前記画素は、前記第１電源から前記有機発光ダイオードの間に位置する制御トランジスタを備え、前記制御トランジスタは、前記走査期間にターンオフされ、前記発光期間にターンオンされる。前記３Ｄデータを用いて映像を表示する場合、ｉ（ｉは自然数）番目のフレームは左眼映像を表示し、ｉ＋１番目のフレームは右眼映像を表示する。前記ｉ番目のフレームの発光期間とｉ＋１番目のフレームの発光期間との間の走査期間をシャッタ眼鏡の応答時間に同期させるように実現する。
【発明の効果】
【００１５】
本発明の有機電界発光表示装置及びその駆動方法によれば、外部から入力されるデータを２Ｄデータ及び３Ｄデータに区分し、２Ｄデータ及び３Ｄデータの各々に対応するように追加のフレームデータを生成することにより、１枚のパネルで２Ｄ及び３Ｄ映像を表示できるという利点がある。
【図面の簡単な説明】
【００１６】
【図１】本発明の実施例による有機電界発光表示装置を示す図である。
【図２】図１に示す３Ｄデータ処理部の動作過程を示す図である。
【図３】本願発明の実施例による１フレーム期間を示す図である。
【図４】順次発光方式によりシャッタ眼鏡式３Ｄを実現した例を説明する図である。
【図５】本発明の実施例による同時発光方式によりシャッタ眼鏡式３Ｄを実現した例を説明する図である。
【図６ａ】図１に示す画素の第１実施例を示す図である。
【図６ｂ】図６ａに示す画素の他の実施例を示す図である。
【図７】図６ａ及び図６ｂに示す画素の駆動方法を示す図である。
【図８ａ】図６ａ及び図６ｂに示す画素においてトランジスタをＰＭＯＳに変更した場合を示す図である。
【図８ｂ】図６ａ及び図６ｂに示す画素においてトランジスタをＰＭＯＳに変更した場合を示す図である。
【図９】図８ａ及び図８ｂに示す画素の駆動方法を示す図である。
【図１０】図１に示す画素の第２実施例を示す図である。
【図１１ａ】図１０に示す画素の駆動方法を示す図である。
【図１１ｂ】図１０に示す画素の駆動方法を示す図である。
【図１２】図１０に示す画素においてトランジスタをＰＭＯＳに変更した場合を示す図である。
【図１３ａ】図１２に示す画素の駆動方法を示す図である。
【図１３ｂ】図１２に示す画素の駆動方法を示す図である。
【発明を実施するための形態】
【００１７】
以下、本発明の属する技術分野における通常の知識を有する者が本発明を容易に実施できる好ましい実施例を、添付した図１〜図１３ｂを参照して詳細に説明する。
【００１８】
図１は、本発明の実施例による有機電界発光表示装置を示す図である。
【００１９】
図１に示すように、本発明の実施例による有機電界発光表示装置は、走査線Ｓ１〜Ｓｎ、発光制御線Ｅ、及びデータ線Ｄ１〜Ｄｍに接続される画素１４０を備える画素部１３０と、走査線Ｓ１〜Ｓｎに走査信号を供給し、かつ、発光制御線Ｅに発光制御信号を供給する走査駆動部１１０と、データ線Ｄ１〜Ｄｍにデータ信号を供給するデータ駆動部１２０と、画素１４０に第１電源ＥＬＶＤＤを供給するための第１電源駆動部１６０と、画素１４０に第２電源ＥＬＶＳＳを供給するための第２電源駆動部１５０と、走査駆動部１１０、データ駆動部１２０、第１電源駆動部１６０、及び第２電源駆動部１５０を制御するためのタイミング制御部１８０とを備える。
【００２０】
また、本発明の実施例による有機電界発光表示装置は、外部から入力されるデータＤａｔａを２Ｄ及び３ＤデータＤａｔａ’に分類し、タイミング制御部１８０に伝達するためのデータ処理部１７０と、１フレーム期間中、ブラックを表現する期間を無線送出するための無線送信部１９０とを備える。
【００２１】
走査駆動部１１０は、１フレーム期間中の走査期間に走査線Ｓ１〜Ｓｎに走査信号を順次供給する。また、走査駆動部１１０は、走査期間に発光制御線Ｅに発光制御信号を供給する。
【００２２】
ここで、発光制御信号は、トランジスタによりターンオフ可能な電圧レベルに設定され、走査信号は、トランジスタによりターンオン可能な電圧レベルに設定される。したがって、走査信号がハイレベル（またはローレベル）の電圧に設定された場合、発光制御信号は、ローレベル（またはハイレベル）の電圧に設定される。
【００２３】
発光制御線Ｅは、すべての画素１４０に接続され、発光制御信号が供給される期間において、画素１４０は非発光状態に設定される。すなわち、本願発明では、１フレーム期間中の走査期間に発光制御信号を供給して画素１４０を非発光状態に設定し、１フレーム期間中の走査期間を除く発光期間に発光制御信号の供給を中断し、画素１４０を発光状態に設定する。
【００２４】
データ駆動部１２０は、走査線Ｓ１〜Ｓｎに順次供給される走査信号に同期するようにデータ線Ｄ１〜Ｄｍにデータ信号を供給する。
【００２５】
画素部１３０は、走査線Ｓ１〜Ｓｎとデータ線Ｄ１〜Ｄｍとの交差部に位置する画素１４０を備える。画素１４０は、第１電源ＥＬＶＤＤ及び第２電源ＥＬＶＳＳを受ける。この画素１４０は、１フレーム期間中の発光期間において、データ信号に対応して、第１電源ＥＬＶＤＤから有機発光ダイオードを経由して第２電源ＥＬＶＳＳに供給される電流量を制御する。すると、有機発光ダイオードでは所定輝度の光が生成される。
【００２６】
第１電源駆動部１６０は、画素１４０に第１電源ＥＬＶＤＤを供給する。この第１電源駆動部１６０は、有機発光ダイオードに電流が供給できるように、第１電源ＥＬＶＤＤとしてハイレベルの電圧を供給する。
【００２７】
第２電源駆動部１５０は、画素１４０に第２電源ＥＬＶＳＳを供給する。この第２電源駆動部１５０は、有機発光ダイオードから電流が供給できるように、第２電源ＥＬＶＳＳとしてローレベルの電圧を供給する。
【００２８】
一方、本願発明では、発光制御線Ｅが除去され、第１電源ＥＬＶＤＤまたは第２電源ＥＬＶＳＳを用いて走査期間に画素１４０を非発光状態に設定することができる。例えば、走査期間に第１電源ＥＬＶＤＤをローレベルの電圧に設定したり、第２電源ＥＬＶＳＳをハイレベルの電圧に設定することにより、画素１４０を非発光状態に設定することができる。これに関する詳細な説明は、画素１４０の構造と結び付けて後述する。
【００２９】
データ処理部１７０は、外部から入力されるデータＤａｔａを２Ｄ及び３ＤデータＤａｔａに分類し、分類されたデータＤａｔａを用いて追加のフレーム分のデータを生成する。このため、データ処理部１７０は、データ分配部１７２と、３Ｄデータ処理部１７４と、２Ｄデータ処理部１７６と、データ伝達部１７８とを備える。ここで、データ処理部１７０は、ｉ（ｉは自然数）駆動周波数（Ｈｚ）で入力されるデータＤａｔａをｊ（ｊはｉより大きい自然数）駆動周波数（Ｈｚ）のデータＤａｔａ’に変更してタイミング制御部１８０に供給する。以下、説明の便宜上、ｉを６０、ｊを１２０と仮定する。
【００３０】
データ分配部１７２は、外部システムから入力されるデータＤａｔａが２Ｄデータか３Ｄデータかを判別し、判別されたデータＤａｔａを３Ｄデータ処理部１７４または２Ｄデータ処理部１７６に供給する。
【００３１】
詳細には、外部システムから入力されるデータＤａｔａには、２Ｄまたは３Ｄ映像に対応する識別ビットが含まれる。データ分配部１７２は、データＤａｔａに含まれた識別ビットを用いてデータの映像を判別し、２Ｄ映像に対応するデータＤａｔａは２Ｄデータ処理部１７６に供給し、３Ｄ映像に対応するデータＤａｔａは３Ｄデータ処理部１７４に供給する。
【００３２】
３Ｄデータ処理部１７４は、自身に入力されるデータＤａｔａを用いて左眼及び右眼映像を分離する。詳細には、データ分配部１７２から入力される１フレーム分の３Ｄ映像のデータＤａｔａには左眼及び右眼映像が含まれる。３Ｄデータ処理部１７４は、図２に示すように、１フレームに含まれた左眼Ｌ及び右眼Ｒの映像を分離して２つのフレームデータを生成する。ここで、１つのフレームデータを用いて２つのフレームデータを生成するため、新たに生成される左眼Ｌ及び右眼Ｒのフレーム映像はスケールアップ（scale up）する。スケールアップ方法は、ディザリングを含む現在公知の様々な方法が利用可能である。例えば、データ分配部１７２から入力されたｋ（ｋは自然数）番目の画素データ（左眼と仮定する。）をｋ及びｋ＋１番目の画素データとして使用することにより、スケールアップすることもできる。
【００３３】
２Ｄデータ処理部１７６は、自身に入力される１フレームのデータを用いて２フレーム分のデータを生成する。実際に、２Ｄデータ処理部１７６は、現在公知の様々な方法を用いることにより、１フレームのデータを用いて２フレーム分のデータを生成する。例えば、２Ｄデータ処理部１７６は、１フレーム分のデータをそのままコピーして１フレームを追加することができる。また、２Ｄデータ処理部１７６は、ＭＥＭＣ（Motion Estimation Motion Compensation）方式、すなわち、隣接する２つのフレームを受信し、受信した２つのフレームの間で一部のデータを変更して追加のフレームを生成することもできる。
【００３４】
データ伝達部１７８は、３Ｄデータ処理部１７４から供給されるデータＤａｔａ’または２Ｄデータ処理部１７６から供給されるデータＤａｔａ’をタイミング制御部１８０に伝達する。
【００３５】
タイミング制御部１８０は、自身に供給されるデータＤａｔａ’をデータ駆動部１２０に伝達する。また、タイミング制御部１８０は、走査駆動部１１０、第２電源駆動部１５０、及び第１電源駆動部１６０のうちのいずれか１つの駆動部を制御し、１フレーム期間において走査期間（すなわち、非発光となる期間）が占める幅を設定する。例えば、タイミング制御部１８０は、１フレーム期間中の５０％の期間に画素１４０を非発光状態に設定することができる。
【００３６】
一方、本願発明において、タイミング制御部１８０で設定される走査期間の幅は、様々な形態に設定され得る。例えば、タイミング制御部１８０は、ユーザから入力される信号に対応して、走査期間の幅を制御することができる。すなわち、動画を表示する場合、走査期間の幅を広く設定し、静止画を表示する場合、走査期間の幅を狭く設定することができる。実際に、動画を表示する場合、走査期間の幅が広くなるほど、より躍動感ある映像が表示される。
【００３７】
無線送信部１９０は、１フレーム期間中の走査期間に対応する期間に無線信号を送出する。無線信号を受信したシャッタ眼鏡２００は、走査期間と自身の応答時間とを同期させる。
【００３８】
図３は、本発明の実施例による１フレーム期間を示す図である。
【００３９】
図３に示すように、本願発明の有機電界発光表示装置は、２Ｄ及び３Ｄにかかわらず、同時発光方式で駆動する。一般的に、駆動方式は、順次発光（Progressive Emission)と、同時発光(Simultaneous Emission）方式とに区分される。順次発光方式は、各走査線にデータが順次入力され、データの入力順序と同様に、画素が水平ライン単位で順次発光する方式を意味する。
【００４０】
同時発光方式は、各走査線にデータが順次入力され、すべての画素にデータが入力された後、画素が同時に発光する方式を意味する。同時発光方式により駆動される本願発明の１フレームは、走査期間と発光期間とに分けられる。
【００４１】
走査期間は、画素１４０の各々にデータ信号を供給する期間である。すなわち、走査期間に走査線Ｓ１〜Ｓｎに走査信号が順次供給され、走査信号によって選択された画素にデータ信号が供給される。この走査期間において、画素１４０は非発光状態に設定される。
【００４２】
発光期間は、走査期間に供給されたデータ信号に対応して、画素１４０が発光する期間である。
【００４３】
このような本発明の駆動方法では、非発光期間（すなわち、走査期間）及び発光期間が時間的に明確に分離されるため、シャッタ眼鏡式３Ｄディスプレイの実現が容易であるという利点がある。
【００４４】
シャッタ眼鏡式３Ｄディスプレイは、各フレームごとに左眼及び右眼映像を交互に出力する。ユーザは、左眼／右眼の透過率が０％及び１００％にスイッチされる「シャッタ眼鏡」を着用する。シャッタ眼鏡は、左眼映像を左眼に、右眼映像を右眼に供給することにより、ユーザが立体感ある映像を認知するようにする。
【００４５】
一方、同時発光方式により２Ｄ映像を表示する場合にも、走査期間の幅を制御することによって、より躍動感ある映像を表示することができる。
【００４６】
図４は、順次発光方式によりシャッタ眼鏡式３Ｄを実現した例を説明する図である。
【００４７】
図４に示すように、順次発光方式により画面を出力する場合、左眼／右眼映像間のクロストーク（crosstalk）現象を防止するため、シャッタ眼鏡の応答時間（例えば、２．５ｍｓ）だけ発光を消す必要がある。すなわち、左眼映像を出力するフレーム（ｉフレーム）（ｉは自然数）と右眼映像が出力されるフレーム（ｉ＋１フレーム）との間に、シャッタ眼鏡の応答時間だけ非発光期間を追加生成し、これにより、発光時間比率（duty ration）が低くなるという欠点がある。
【００４８】
図５は、本発明の実施例による同時発光方式によりシャッタ眼鏡式３Ｄを実現した例を説明する図である。
【００４９】
図５に示すように、同時発光方式により画面を出力する場合、画素部全体において同時に発光が行われ、発光期間以外の期間に画素が非発光状態に設定される。したがって、左眼映像が出力される期間及び右眼映像が出力される期間の間に非発光期間が自然に確保可能である。
【００５０】
すなわち、ｉフレーム及びｉ＋１フレーム間の走査期間に画素１４０が非発光状態に設定され、この走査期間を前記シャッタ眼鏡の応答時間に同期させると、従来の順次発光方式とは異なり、発光時間比率を別途に減らさなくて済む。
【００５１】
図６ａは、図１に示す画素の第１実施例を示す図である。図６ａでは、説明の便宜上、第ｎ走査線Ｓｎ及び第ｍデータ線Ｄｍに接続された画素を示すこととする。
【００５２】
図６ａに示すように、本発明の第１実施例による画素１４０は、有機発光ダイオードＯＬＥＤと、第１ないし第３トランジスタＭ１〜Ｍ３とを備える。
【００５３】
有機発光ダイオードＯＬＥＤのアノード電極は第２トランジスタＭ２（駆動トランジスタ）の第２電極に接続され、カソード電極は第２電源ＥＬＶＳＳに接続される。この有機発光ダイオードＯＬＥＤは、第２トランジスタＭ２から供給される電流に対応して、所定輝度の光を生成する。
【００５４】
第１トランジスタＭ１のゲート電極は走査線Ｓｎに接続され、第１電極はデータ線Ｄｍに接続される。また、第１トランジスタＭ１の第２電極は第１ノードＮ１に接続される。この第１トランジスタＭ１は、走査線Ｓｎに走査信号が供給されたときにターンオンされ、データ線Ｄｍと第１ノードＮ１とを電気的に接続させる。
【００５５】
第２トランジスタＭ２のゲート電極は第１ノードＮ１に接続され、第１電極は第３トランジスタＭ３の第２電極に接続される。また、第２トランジスタＭ２の第２電極は有機発光ダイオードＯＬＥＤのアノード電極に接続される。この第２トランジスタＭ２は、第１ノードＮ１に印加された電圧に対応して、有機発光ダイオードＯＬＥＤに供給される電流量を制御する。
【００５６】
第３トランジスタ（Ｍ３：制御トランジスタ）の第１電極は第１電源ＥＬＶＤＤに接続され、第２電極は第２トランジスタＭ２の第１電極に接続される。また、第３トランジスタＭ３のゲート電極は発光制御線Ｅに接続される。この第３トランジスタＭ３は、発光制御線Ｅに発光制御信号が供給されない間にターンオンされる。すなわち、第３トランジスタＭ３は、発光期間にターンオンされ、走査期間にターンオフされる。
【００５７】
一方、本願発明において、第３トランジスタＭ３は、有機発光ダイオードＯＬＥＤに電流が流れないように、走査期間に第１電源ＥＬＶＤＤと有機発光ダイオードＯＬＥＤとの電気的接続を遮断する。この第３トランジスタＭ３は、図６ｂに示すように、第２トランジスタＭ２の第２電極と有機発光ダイオードＯＬＥＤのアノード電極との間に接続されてもよい。
【００５８】
ストレージキャパシタＣｓｔは、第２トランジスタＭ２のゲート電極と有機発光ダイオードＯＬＥＤのアノード電極との間に接続される。このストレージキャパシタＣｓｔは、データ信号に対応する電圧を充電する。
【００５９】
図７は、図６ａに示す画素の駆動方法を示すタイミングチャートである。
【００６０】
図７に示すように、まず、走査期間に走査線Ｓ１〜Ｓｎに走査信号が順次供給される。また、走査期間に発光制御線Ｅに発光制御信号が供給される。
【００６１】
走査線Ｓｎに走査信号が供給されると、第１トランジスタＭ１がターンオンされる。第１トランジスタＭ１がターンオンされると、データ線Ｄｍと第１ノードＮ１とが電気的に接続される。データ線Ｄｍと第１ノードＮ１とが電気的に接続されると、データ線Ｄｍからのデータ信号が第１ノードＮ１に供給される。このとき、ストレージキャパシタＣｓｔは、データ信号に対応する電圧を充電する。一方、走査期間に発光制御線Ｅに発光制御信号が供給されるため、第３トランジスタＭ３はターンオフ状態を維持する。
【００６２】
その後、発光期間には、発光制御線Ｅに発光制御信号の供給が中断される。発光制御線Ｅに発光制御信号の供給が中断されると、画素１４０の各々に備えられた第３トランジスタＭ３がターンオンされる。第３トランジスタＭ３がターンオンされると、第１電源ＥＬＶＤＤから、第２トランジスタＭ２、有機発光ダイオードＯＬＥＤ、及び第２電源ＥＬＶＳＳにつながる電流パスが形成される。このとき、第２トランジスタＭ２は、第１ノードＮ１に印加された電圧に対応して、有機発光ダイオードＯＬＥＤに流れる電流量を制御する。
【００６３】
一方、図６ａ及び図６ｂでは、画素１４０に備えられたトランジスタＭ１〜Ｍ３がＮＭＯＳで形成されたが、本願発明はこれに限定されない。言い換えれば、図８ａ及び８ｂに示すように、トランジスタＭ１〜Ｍ３をＰＭＯＳで形成することができる。この場合、ストレージキャパシタＣｓｔが第２トランジスタＭ２のゲート電極と第１電極ＥＬＶＤＤとの間に形成されることを除けば、実質的な回路構成は同様に設定される。ただし、トランジスタＭ１〜Ｍ３がＰＭＯＳで形成された場合、図９に示すように、駆動波形の極性は反転する。
【００６４】
図１０は、図１に示す画素の第２実施例を示す図である。図１０では、説明の便宜上、第ｎ走査線Ｓｎ及び第ｍデータ線Ｄｍに接続された画素を示すこととする。
【００６５】
図１０に示すように、本発明の第２実施例による画素１４０は、有機発光ダイオードＯＬＥＤと、第１トランジスタＭ１と、第２トランジスタＭ２とを備える。
【００６６】
有機発光ダイオードＯＬＥＤのアノード電極は第２トランジスタＭ２の第２電極に接続され、カソード電極は第２電源ＥＬＶＳＳに接続される。この有機発光ダイオードＯＬＥＤは、第２トランジスタＭ２から供給される電流に対応して、所定輝度の光を生成する。
【００６７】
第１トランジスタＭ１のゲート電極は走査線Ｓｎに接続され、第１電極はデータ線Ｄｍに接続される。また、第１トランジスタＭ１の第２電極は第１ノードＮ１に接続される。この第１トランジスタＭ１は、走査線Ｓｎに走査信号が供給されたときにターンオンされ、データ線Ｄｍと第１ノードＮ１とを電気的に接続させる。
【００６８】
第２トランジスタＭ２のゲート電極は第１ノードＮ１に接続され、第１電極は第１電源ＥＬＶＤＤに接続される。また、第２トランジスタＭ２の第２電極は有機発光ダイオードＯＬＥＤのアノード電極に接続される。この第２トランジスタＭ２は、第１ノードＮ１に印加された電圧に対応して、有機発光ダイオードＯＬＥＤに供給される電流量を制御する。
【００６９】
ストレージキャパシタＣｓｔは、第２トランジスタＭ２のゲート電極と有機発光ダイオードＯＬＥＤのアノード電極との間に接続される。このストレージキャパシタＣｓｔは、データ信号に対応する電圧を充電する。
【００７０】
図１１ａは、図１０に示す画素の駆動方法を示すタイミングチャートである。
【００７１】
図１１ａに示すように、まず、走査期間に走査線Ｓ１〜Ｓｎに走査信号が順次供給される。また、走査期間に第１電源ＥＬＶＤＤの電圧がローレベルに設定される。
【００７２】
走査線Ｓｎに走査信号が供給されると、第１トランジスタＭ１がターンオンされる。第１トランジスタＭ１がターンオンされると、データ線Ｄｍと第１ノードＮ１とが電気的に接続される。データ線Ｄｍと第１ノードＮ１とが電気的に接続されると、データ線Ｄｍからのデータ信号が第１ノードＮ１に供給される。このとき、ストレージキャパシタＣｓｔは、データ信号に対応する電圧を充電する。一方、走査期間に第１電源ＥＬＶＤＤがローレベルの電圧に設定されるため、画素１４０は非発光状態に設定される。
【００７３】
ここで、走査期間に画素１４０を非発光状態に設定するために、図６ｂのように、第２電源ＥＬＶＳＳをハイレベルの電圧に設定することもできる。すなわち、本願発明では、第１電源ＥＬＶＤＤの電圧をローレベルに設定したり、第２電源ＥＬＶＳＳの電圧をハイレベルに設定することにより、画素１４０を非発光状態に設定することができる。
【００７４】
発光期間に第１電源ＥＬＶＤＤがハイレベルに設定される（図１１ｂの場合、第２電源ＥＬＶＳＳの電圧がローレベルに設定）。このとき、第２トランジスタＭ２は、第１ノードＮ１に印加された電圧に対応して、第１電源ＥＬＶＤＤから有機発光ダイオードＯＬＥＤを経由して第２電源ＥＬＶＳＳに流れる電流量を制御する。
【００７５】
一方、図１０では、画素１４０に備えられたトランジスタＭ１、Ｍ２がＮＭＯＳで形成されたが、本願発明はこれに限定されない。言い換えれば、図１２に示すように、トランジスタＭ１、Ｍ２がＰＭＯＳで形成され得る。この場合、ストレージキャパシタＣｓｔが第２トランジスタＭ２のゲート電極と第１電極ＥＬＶＤＤとの間に形成されることを除けば、実質的な回路構成は同様に設定される。ただし、トランジスタＭ１、Ｍ２がＰＭＯＳに形成された場合、図１３ａ及び図１３ｂに示すように、駆動波形の極性は反転する。
【符号の説明】
【００７６】
１１０  走査駆動部
１２０  データ駆動部
１３０  画素部
１４０  画素
１５０  第２電源駆動部
１６０  第１電源駆動部
１７０  データ処理部
１７２  データ分配部
１７４  ３Ｄデータ処理部
１７６  ２Ｄデータ処理部
１７８  データ伝達部
１８０  タイミング制御部
１９０  無線送信部
２００  シャッタ眼鏡
Ｃｓｔ  ストレージキャパシタ
ＥＬＶＤＤ  第１電源
ＥＬＶＳＳ  第２電源
Ｍ１、Ｍ２、Ｍ３  トランジスタ
Ｎ１  第１ノード  ＯＬＥＤ  有機発光ダイオード
【図１】
2011237756.tif 000003
【図２】
2011237756.tif 000004
【図３】
2011237756.tif 000005
【図４】
2011237756.tif 000006
【図５】
2011237756.tif 000007
【図６ａ】
2011237756.tif 000008
【図６ｂ】
2011237756.tif 000009
【図７】
2011237756.tif 000010
【図８ａ】
2011237756.tif 000011
【図８ｂ】
2011237756.tif 000012
【図９】
2011237756.tif 000013
【図１０】
2011237756.tif 000014
【図１１ａ】
2011237756.tif 000015
【図１１ｂ】
2011237756.tif 000016
【図１２】
2011237756.tif 000017
【図１３ａ】
2011237756.tif 000018
【図１３ｂ】
2011237756.tif 000019